(57)【要約】【課題】パネルに入射される外部光を効果的に遮断して光の反射を防止し、ＰＤＰの明室コントラストを画期的に向上させると共に、パネルの輝度を改善し、モアレ現象を減少させることができるフィルタ及びそれを利用したプラズマディスプレイ装置を提供する。【解決手段】プラズマディスプレイ装置は、プラズマディスプレイパネルと、パネルの前面に形成されるフィルタとを備え、フィルタは、第１ベース部及び第１ベース部に形成される第１パターン部を有する外光遮断シートと、第２パターン部を備えるＥＭＩ遮断シートとを備える。外光遮断シートの厚さは、第１パターン部の高さの１．０１倍〜２．２５倍であり、前記第１パターン部と前記第２パターン部がなす角は、２０度〜６５度である。【選択図】図１２
2008026861.tif 000002
【特許請求の範囲】
【請求項１】
プラズマディスプレイパネルと、
前記パネルの前面に形成されるフィルタとを備え、
前記フィルタは、
第１ベース部及び前記第１ベース部に形成される第１パターン部を備える外光遮断シートと、
第２パターン部を備えるＥＭＩ遮断シートとを備え、
前記外光遮断シートの厚さは、前記第１パターン部の高さの１．０１倍〜２．２５倍であり、
前記第１パターン部と前記第２パターン部がなす角は、２０度〜６５度であることを特徴とするプラズマディスプレイ装置。
【請求項２】
前記第１パターン部の屈折率は、
前記第１ベース部の屈折率より小さいことを特徴とする請求項１に記載のプラズマディスプレイ装置。
【請求項３】
前記外光遮断シートの厚さは、前記第１パターン部の高さの１．０１倍〜１．５倍であることを特徴とする請求項１に記載のプラズマディスプレイ装置。
【請求項４】
前記ＥＭＩ遮断シートは、前記第２パターン部と交差するように形成された第３パターン部を備え、
前記第２パターン部と前記第３パターン部がなす角は、６０度〜１３０度であることを特徴とする請求項１に記載のプラズマディスプレイ装置。
【請求項５】
前記パネルは、バス電極を備え、
前記パネル側に位置した前記第１パターン部の下段幅は、前記バス電極幅の０．２倍〜０．５倍であることを特徴とする請求項１に記載のプラズマディスプレイ装置。
【請求項６】
前記パネルは、前記第１電極と交差する方向に形成された縦隔壁を備え、
前記第１パターン部の下段幅は、前記縦隔壁幅の０．３倍〜０．８倍であることを特徴とする請求項１に記載のプラズマディスプレイ装置。
【請求項７】
プラズマディスプレイパネルと、
前記パネルの前面に形成されるフィルタを備え、
前記フィルタは、
第１ベース部及び前記第１ベース部に形成される第１パターン部を備える外光遮断シートと、
第２パターン部及び第３パターン部を備えるＥＭＩ遮断シートを備え、
前記第２、３パターン部は、互いに交差する方向に形成され、前記第１パターン部と前記第２パターン部がなす角は、２０度〜６０度であり、前記第１パターン部と前記第３パターン部がなす角は、２８度〜６５度であることを特徴とするプラズマディスプレイ装置。
【請求項８】
前記第１パターン部の屈折率は、
前記第１ベース部の屈折率より小さいことを特徴とする請求項７に記載のプラズマディスプレイ装置。
【請求項９】
前記第２パターン部と前記第３パターン部がなす角は、６０度〜１３０度であることを特徴とする請求項７に記載のプラズマディスプレイ装置。
【請求項１０】
前記外光遮断シートの厚さは、前記第１パターン部の高さの１．０１倍〜２．２５倍であることを特徴とする請求項７に記載のプラズマディスプレイ装置。
【請求項１１】
前記外光遮断シートの厚さは、前記第１パターン部の高さの１．０１倍〜１．５倍であることを特徴とする請求項７に記載のプラズマディスプレイ装置。
【請求項１２】
前記パネルは、バス電極を備え、
前記パネル側に位置した前記第１パターン部の下段幅は、前記バス電極幅の０．２倍〜０．５倍であることを特徴とする請求項７に記載のプラズマディスプレイ装置。
【請求項１３】
前記パネルは、前記第１電極と交差するように形成された縦隔壁を備え、
前記第１パターン部の下段幅は、前記縦隔壁幅の０．３倍〜０．８倍であることを特徴とする請求項７に記載のプラズマディスプレイ装置。
【請求項１４】
第１ベース部及び前記第１ベース部に形成される第１パターン部を備える外光遮断シートと、
第２パターン部を備えるＥＭＩ遮断シートと
を備え、
前記外光遮断シートの厚さは、前記第１パターン部の高さの１．０１倍〜２．２５倍であり、
前記第１パターン部と前記第２パターン部がなす角は、２０度〜６５度であることを特徴とするフィルタ。
【請求項１５】
前記第１パターン部の屈折率は、
前記第１ベース部の屈折率より小さいことを特徴とする請求項１４に記載のフィルタ。
【請求項１６】
前記第１パターン部と前記第２パターン部がなす角は、２７度〜５８度であることを特徴とする請求項１４に記載のフィルタ。
【請求項１７】
前記第１パターン部と前記第２パターン部がなす角は、４０度〜５０度であることを特徴とする請求項１４に記載のフィルタ。
【請求項１８】
前記第１パターン部と前記外光遮断シートの上段又は下段がなす角は、０．５度〜９度であることを特徴とする請求項１４に記載のフィルタ。
【請求項１９】
前記第１パターン部と前記外光遮断シートの上段又は下段がなす角は、０．５度〜４．５度であることを特徴とする請求項１４に記載のフィルタ。
【請求項２０】
前記第２パターン部と前記ＥＭＩ遮断シートの上段又は下段がなす角は、２５度〜６０度であることを特徴とする請求項１４に記載のフィルタ。
【請求項２１】
前記第２パターン部と前記ＥＭＩ遮断シートの上段又は下段がなす角は、３０度〜５５度であることを特徴とする請求項１４に記載のフィルタ。
【請求項２２】
前記第１パターン部の屈折率は、前記第１ベース部屈折率の０．３倍〜０．９９９倍であることを特徴とする請求項１４に記載のフィルタ。
【請求項２３】
前記外光遮断シートの厚さは、前記第１パターン部の高さの１．０１倍〜１．５倍であることを特徴とする請求項１４に記載のフィルタ。
【請求項２４】
前記ＥＭＩ遮断シートは、前記第２パターン部と交差するように形成された第３パターン部を備えることを特徴とする請求項１４に記載のフィルタ。
【請求項２５】
前記第２パターン部と前記第３パターン部がなす角は、６０度〜１３０度であることを特徴とする請求項２４に記載のフィルタ。
【請求項２６】
前記第２パターン部と前記第３パターン部がなす角は、７０度〜１１８度であることを特徴とする請求項２４に記載のフィルタ。
【請求項２７】
第１ベース部及び前記第１ベース部に形成される第１パターン部を備える外光遮断シートと、
第２パターン部及び第３パターン部を備えるＥＭＩ遮断シートと
を備え、
前記第２パターン部および３パターン部は、互いに交差する方向に形成され、前記第１パターン部と前記第２パターン部がなす角は、２０度〜６０度であり、前記第１パターン部と前記第３パターン部がなす角は、２８度〜６５度であることを特徴とするフィルタ。
【請求項２８】
前記第１パターン部の屈折率は、
前記第１ベース部の屈折率より小さいことを特徴とする請求項２７に記載のフィルタ。
【請求項２９】
前記第１パターン部と前記第２パターン部がなす角は、２７度〜５３度であることを特徴とする請求項２７に記載のフィルタ。
【請求項３０】
前記第１パターン部と前記第２パターン部がなす角は、４０度〜５０度であることを特徴とする請求項２７に記載のフィルタ。
【請求項３１】
前記第１パターン部と前記第３パターン部がなす角は、４０度〜５０度であることを特徴とする請求項２７に記載のフィルタ。
【請求項３２】
前記第１パターン部の屈折率は、
前記第１ベース部の屈折率の０．３倍〜０．９９９倍であることを特徴とする請求項２７に記載のフィルタ。
【請求項３３】
前記第２パターン部と前記第３パターン部がなす角は、６０度〜１３０度であることを特徴とする請求項２７に記載のフィルタ。
【請求項３４】
前記第２パターン部と前記第３パターン部がなす角は、７０度〜１１８度であることを特徴とする請求項２７に記載のフィルタ。
【請求項３５】
前記第２パターン部および３パターン部のうち、少なくとも１つは、
５μｍ〜１５μｍの幅を有することを特徴とする請求項２７に記載のフィルタ。
【請求項３６】
前記外光遮断シートの厚さは、前記第１パターン部の高さの１．０１倍〜２．２５倍であることを特徴とする請求項２７に記載のフィルタ。
【請求項３７】
前記外光遮断シートの厚さは、前記第１パターン部の高さの１．０１倍〜１．５倍であることを特徴とする請求項２７に記載のフィルタ。
【発明の詳細な説明】
【技術分野】
【０００１】
本発明は、プラズマディスプレイ装置に関し、特にパネルの外部から入射される外光を遮断させるために、外光遮断シート製作してパネルの前面に取り付け又はパネルの前面に配置することによって、パネルの明室コントラストを向上させると同時に、輝度を維持するプラズマディスプレイ装置に関する。
【背景技術】
【０００２】
プラズマディスプレイパネル（Ｐｌａｓｍａ  Ｄｉｓｐｌａｙ  Ｐａｎｅｌ、以下、ＰＤＰと記す）は、放電空間に設けられた電極に所定の電圧を印加して放電を起こし、ガス放電時に発生するプラズマが蛍光体を励起させることによって、文字又はグラフィックを含む画像を表示する装置であって、大型化及び軽量化と平面薄型化が容易であり、上下左右に広い視野角を提供し、フルカラー及び高輝度を実現することができるという長所がある。
【０００３】
このようなＰＤＰはブラック映像が実現するとき、パネルの下板に露出されている白色系の蛍光体により、外部光がＰＤＰのパネル前面から反射されることによって、ブラック映像が明るい系の暗い色と認知されて、コントラストが低下するという問題がある。
【発明の開示】
【発明が解決しようとする課題】
【０００４】
本発明は、上述の問題点に鑑みてなされたもので、その目的は、パネルに入射される外部光を効果的に遮断して光の反射を防止し、ＰＤＰの明室コントラストを画期的に向上させると共に、パネルの輝度を改善し、モアレ現象を減少させることができるフィルタ及びそれを利用したプラズマディスプレイ装置を提供することにある。
【課題を解決するための手段】
【０００５】
上記の目的を達成すべく、本発明に係るプラズマディスプレイ装置は、プラズマディスプレイパネルと、前記パネルの前面に形成されるフィルタとを備え、前記フィルタは、第１ベース部及び前記第１ベース部に形成される第１パターン部を備える外光遮断シートと、第２パターン部を備えるＥＭＩ遮断シートとを備える。
【０００６】
好ましくは、前記外光遮断シートの厚さは、前記第１パターン部の高さの１．０１倍〜２．２５倍であり、前記第１パターン部と前記第２パターン部がなす角は、２０度〜６５度である。
【０００７】
本発明に係る他のプラズマディスプレイ装置は、前記フィルタが第１ベース部及び前記第１ベース部に形成される第１パターン部を備える外光遮断シートと、第２パターン部及び第３パターン部を備えるＥＭＩ遮断シートとを備え、前記第２、３パターン部は、互いに交差する方向に形成され、前記第１パターン部と前記第２パターン部がなす角は、２０度〜６０度であり、前記第１パターン部と前記第３パターン部がなす角は、２８度〜６５度である。
【０００８】
本発明に係るフィルタは、第１ベース部及び前記第１ベース部に形成される第１パターン部を備える外光遮断シートと、第２パターン部を備えるＥＭＩ遮断シートとを備え、前記外光遮断シートの厚さは、前記第１パターン部の高さの１．０１倍〜２．２５倍であり、前記第１パターン部と前記第２パターン部がなす角は、２０度〜６５度である。
【０００９】
本発明に係るフィルタは、第１ベース部及び前記第１ベース部に形成される第１パターン部を備える外光遮断シートと、第２パターン部及び第３パターン部を備えるＥＭＩ遮断シートとを備え、前記第２、３パターン部は、互いに交差する方向に形成され、前記第１パターン部と前記第２パターン部がなす角は、２０度〜６０度であり、前記第１パターン部と前記第３パターン部がなす角は、２８度〜６５度である。
【発明の効果】
【００１０】
本発明は、外部から入射される光を最大限吸収及び遮断する外光遮断シートがパネルの前面に取り付けられることにより、ブラック映像を効果的に実現することができ、明室コントラストを改善することができる。また、外光遮断シートのパターンを斜めに傾けて形成することによって、モアレ現象の発生を減少させることができ、メッシュ形態のＥＭＩ遮断シートを取り付けて使用することによって、外光の遮断と同時にＥＭＩ遮断効果を向上させることができる。
【発明を実施するための最良の形態】
【００１１】
以下、本発明の好ましい実施の形態を、添付された図１〜図２１を参照して詳細に説明する。図１は、本発明に係るプラズマディスプレイパネルに関する一実施の形態を示す斜視図である。
【００１２】
図１に示すように、プラズマディスプレイパネルは、上部基板１０上に形成される維持電極対であるスキャン電極１１及びサステイン電極１２と、下部基板２０上に形成されるアドレス電極２２とを備える。
【００１３】
維持電極対１１、１２は、通常、インジウムスズ酸化物（Ｉｎｄｉｕｍ−Ｔｉｎ−Ｏｘｉｄｅ；ＩＴＯ）で形成された透明電極１１ａ、１２ａと、バス電極１１ｂ、１２ｂとを備え、前記バース電極１１ｂ、１２ｂは、銀（Ａｇ）、クロム（Ｃｒ）などの金属又はクロム／銅／クロム（Ｃｒ／Ｃｕ／Ｃｒ）の積層型又はクロム／アルミニウム／クロム（Ｃｒ／Ａｌ／Ｃｒ）の積層型で形成される。バス電極１１ｂ、１２ｂは、透明電極１１ａ、１２ａ上に形成され、抵抗の高い透明電極１１ａ、１２ａによる電圧降下を低減する機能を果たす。
【００１４】
一方、本発明の一実施の形態によれば、維持電極対１１、１２は、透明電極１１ａ１２ａとバス電極１１ｂ、１２ｂとが積層された構造だけでなく、透明電極１１ａ、１２ａを用いることなく、バス電極１１ｂ、１２ｂのみで構成してもよい。このような構造は、透明電極１１ａ、１２ａを使用しないため、パネルの製造単価を下げることができるという長所がある。このような構造に用いられるバス電極１１ｂ、１２ｂは、上記の例に挙げた材料の他に感光性材料など、多様な材料で構成することが可能である。
【００１５】
スキャン電極１１及びサステイン電極１２の透明電極１１ａ、１２ａとバス電極１１ｂ、１１ｃとの間には、上部基板１０の外部から発生する外部光を吸収して反射を減らす光遮断の機能と上部基板１０のピュアリティー（Ｐｕｒｉｔｙ）及びコントラストを向上させる機能を果たすブラックマトリックス１５が配列される。
【００１６】
本発明の一実施の形態に係るブラックマトリックス１５は、上部基板１０に形成されるが、隔壁２１と重なる位置に形成される第１ブラックマトリックス１５と、透明電極１１ａ、１２ａとバス電極１１ｂ、１２ｂとの間に形成される第２ブラックマトリックス１１ｃ、１２ｃとで構成することもできる。ここで、第１ブラックマトリックス１５と、ブラック層又はブラック電極層ともいう第２ブラックマトリックス１１ｃ、１２ｃは、形成過程において同時に形成されて物理的に接続することができるが、同時に形成されず物理的に接続されないこともある。
【００１７】
また、物理的に接続して形成される場合、第１ブラックマトリックス１５と第２ブラックマトリックス１１ｃ、１２ｃは、同じ材質で形成されるが、物理的に分離されて形成される場合には、他の材質で形成されることができる。
【００１８】
スキャン電極１１とサステイン電極１２が並列して形成された上部基板１０には、上部誘電体層１３と保護膜１４が積層される。上部誘電体層１３には、放電によって発生した荷電粒子が蓄積され、維持電極対１１、１２を保護する機能を行うことができる。保護膜１４は、ガス放電時に発生した荷電粒子のスパッタリングから上部誘電体層１３を保護し、２次電子の放出効率を上げる。
【００１９】
また、アドレス電極２２は、スキャン電極１１及びサステイン電極１２と交差する方向に形成される。また、アドレス電極２２が形成された下部基板２０上には、下部誘電体層２４と隔壁２１が形成される。
【００２０】
また、下部誘電体層２４と隔壁２１の表面には、蛍光体層２３が形成される。隔壁２１は、縦隔壁２１ａと横隔壁２１ｂが閉鎖型に形成され、放電セルを物理的に区分し、放電により生成された紫外線と可視光が隣接した放電セルに漏れるのを防止することができる。
【００２１】
図１に示すように、本発明に係るプラズマディスプレイパネルの前面には、フィルタ１００が形成されることが好ましく、フィルタ１００には、外光遮断シート、ＡＲ（Ａｎｔｉ−Ｒｅｆｌｅｃｔｉｏｎ）シート、ＮＩＲ（Ｎｅａｒ  Ｉｎｆｒａｒｅｄ）遮蔽シート、ＥＭＩ遮蔽シート、拡散シート、光特性シートなどが含まれることができる。
【００２２】
粘着層によりフィルタ１００がパネルの前面に取り付くことができ、前記粘着層の厚さが１０μｍ〜３０μｍであるとき、外部から入射される光を効果的に遮断でき、前記パネルから発生する光を外部に効果的に放出することができる。また、外部からの圧力などから前記パネルを保護するために、前記粘着層の厚さを３０μｍ〜１２０μｍにすることができる。
【００２３】
また、フィルタ１００は、フィルム形態でパネルに取り付けられることもできる。あるいは、フィルタ１００は、ベース記載であるガラスに外光遮断シート、ＡＲシート、ＮＩＲ遮蔽シート、ＥＭＩ遮蔽シート、拡散シート、光特性シートなどが取り付けられたガラスフィルタの形態としても用いることが可能である。
【００２４】
本発明の一実施の形態には、図１に示す隔壁２１の構造だけの場合だけではなく、多様な形状の隔壁２１の構造としても適用可能である。例えば、縦隔壁２１ａと横隔壁２１ｂの高さが異なる差等型隔壁構造、縦隔壁２１ａ又は横隔壁２１ｂのうちの少なくとも１つ以上に排気通路として使用可能なチャネルが形成されたチャネル型隔壁構造、縦隔壁２１ａ又は横隔壁２１ｂのうちの１つ以上に溝が形成された溝型隔壁構造などが可能である。
【００２５】
ここで、差等型隔壁構造である場合には、横隔壁２１ｂの高さが高くなればより好ましい。チャネル型隔壁構造又は溝型隔壁構造である場合には、横隔壁２１ｂにチャネルが形成されるか、又は溝が形成されることが好ましい。
【００２６】
一方、本発明の一実施の形態では、Ｒ、Ｇ及びＢ放電セルそれぞれが同じ線上に配列するものと図示及び説明されているが、他の形状に配列することも可能である。例えば、Ｒ、Ｇ及びＢ放電セルが三角形状に配列されるデルタ（Ｄｅｌｔａ）タイプの配列も可能である。また、放電セルの形状も、四角形状だけでなく、五角形、六角形などの多様な多角形状も可能である。
【００２７】
また、蛍光体層２３は、ガス放電時に発生した紫外線により発光されて、赤色（Ｒ）、緑色（Ｇ）又は青色（Ｂ）のうちのいずれかの可視光を発生する。ここで、上部／下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
【００２８】
図２は、プラズマディスプレイパネルの電極配置に関する一実施の形態を示す図である。プラズマディスプレイパネルを構成する複数の放電セルは、図２に示すように、マトリックス状に配置されることが好ましい。複数の放電セルは、各々スキャン電極ラインＹ１〜Ｙｍ、サステイン電極ラインＺ１〜Ｚｍ及びアドレス電極ラインＸ１〜Ｘｎの交差部に設けられる。スキャン電極ラインＹ１〜Ｙｍは、順次駆動されるか、又は同時に駆動されることができ、サステイン電極ラインＺ１〜Ｚｍは、同時に駆動され得る。アドレス電極ラインＸ１〜Ｘｎは、奇数番目のラインと偶数番目のラインに分割して駆動したり、又は順次駆動したりし得る。
【００２９】
図２に示す電極配置は、本発明に係るプラズマパネルの電極配置に関する一実施の形態であり、本発明は、図２に示すプラズマディスプレイパネルの電極配置及び駆動方式に限定されない。例えば、前記スキャン電極ラインＹ１〜Ｙｍのうち、２個のスキャン電極ラインが同時にスキャニングされるデュアルスキャン（ｄｕａｌ  ｓｃａｎ）方式を適用することも可能である。また、前記アドレス電極ラインＸ１〜Ｘｎは、パネルの中央部分において上下に分割して駆動するようにすることもできる。
【００３０】
図３は、１つのフレームを複数のサブフィールドに分けて時分割駆動させる方法に関する一実施の形態を示すタイミング図である。単位フレームは、時分割階調表示を実現するために、所定数、例えば８個のサブフィールドＳＦ１，．．．，ＳＦ８に分割されることができる。また、各サブフィールドＳＦ１，．．．，ＳＦ８は、リセット区間（図示せず）、アドレス区間Ａ１，．．．，Ａ８、及びサステイン区間Ｓ１，．．．，Ｓ８に分割される。
【００３１】
ここで、本発明の一実施の形態によれば、リセット区間は、複数のサブフィールドのうちの少なくとも１つで省略され得る。例えば、リセット区間は、最初のサブフィールドのみで存在するか、最初のサブフィールドと全体サブフィールドのうち、中間程度のサブフィールドのみで存在することもできる。
【００３２】
各アドレス区間Ａ１，．．．，Ａ８では、アドレス電極（Ｘ）にアドレス信号が印加され、各スキャン電極（Ｙ）に相応するスキャン信号が１つのスキャン電極ラインずつ順次印加される。
【００３３】
各サステイン区間Ｓ１，．．．，Ｓ８では、スキャン電極（Ｙ）とサステイン電極（Ｚ）にサステイン信号が交互に印加されて、アドレス区間Ａ１，．．．，Ａ８において壁電荷が形成された放電セルでサステイン放電を起こす。
【００３４】
プラズマディスプレイパネルの輝度は、単位フレームで占めるサステイン放電区間Ｓ１，．．．，Ｓ８内のサステイン放電パルスの数に比例する。１画像を形成する１つのフレームが、８個のサブフィールドと２５６階調で表現される場合に、各サブフィールドには、順に１、２、４、８、１６、３２、６４、１２８の割合で互いに異なるサステイン信号の数が割り当てられることができる。万一、１３３階調の輝度を得るためには、サブフィールド１区間、サブフィールド３区間及びサブフィールド８区間の間のセルをアドレッシングして、サステイン放電すればよい。
【００３５】
各サブフィールドに割り当てられるサステイン放電数は、ＡＰＣ（Ａｕｔｏｍａｔｉｃ  Ｐｏｗｅｒ  Ｃｏｎｔｒｏｌ）ステップによるサブフィールドの重み付け値に応じて可変して決定されることができる。すなわち、図３では、１フレームを８個のサブフィールドに分割する場合を例に挙げて説明したが、本発明は、それに限定されず、１フレームを形成するサブフィールドの数を設計仕様によって多様に変形することが可能である。例えば、１フレームを１２又は１６サブフィールドなどのように、８サブフィールド以上に分割してプラズマディスプレイパネルを駆動させることができる。
【００３６】
また、各サブフィールドに割り当てられるサステイン放電数は、ガンマ特性やパネル特性を考慮して多様に変形することが可能である。例えば、サブフィールド４に割り当てられた階調度を８から６に下げ、サブフィールド６に割り当てられた階調度を３２から３４に上げることができる。
【００３７】
図４は、前記分割された１つのサブフィールドに対して、プラズマディスプレイパネルを駆動させるための駆動信号に関する一実施の形態を示すタイミング図である。
【００３８】
前記サブフィールドは、スキャン電極Ｙ上に正極性壁電荷を形成し、サステイン電極Ｚ上に負極性壁電荷を形成するためのプリリセット（ｐｒｅ  ｒｅｓｅｔ）区間、プリリセット区間により形成された壁電荷分布を利用して、前画面の放電セルを初期化するためのリセット区間、放電セルを選択するためのアドレス区間、及び選択された放電セルの放電を維持させるためのサステイン区間を含む。
【００３９】
リセット区間は、セットアップ区間及びセットダウン区間からなり、前記セットアップ区間では、全てのスキャン電極に上昇ランプ波形が同時印加されて、全ての放電セルで微細放電が発生し、これにより、壁電荷が生成される。前記セットダウン区間には、前記上昇ランプ波形のピーク電圧より低い正極性電圧から下降する下降ランプ波形が全てのスキャン電極Ｙに同時に印加されて、全ての放電セルで消去放電が発生し、これにより、セットアップ放電により生成された壁電荷及び空間電荷のうち、不要電荷を消去させる。
【００４０】
アドレス区間には、スキャン電極に負極性のスキャン電圧Ｖｓｃを有するスキャン信号４１０が順次印加され、前記スキャン信号と重なるようにアドレス電極Ｘに正極性のアドレス電圧Ｖａを有するアドレス信号４００が印加される。このようなスキャン信号４１０とアドレス信号４００の電圧差と、リセット区間の間に生成された壁電圧により、アドレス放電が発生してセルが選択される。一方、前記セットダウン区間とアドレス区間の間に前記サステイン電極には、サステイン電圧を維持する信号が印加される。
【００４１】
前記サステイン区間には、スキャン電極とサステイン電極に交互にサステイン信号が印加されて、スキャン電極とサステイン電極との間に面放電形態でサステイン放電が発生する。
【００４２】
図４に示す駆動波形は、本発明に係るプラズマディスプレイパネルを駆動させるための信号に関する第１の実施の形態であって、図４に示す波形によって本発明は限定されない。例えば、プリリセット区間は省略でき、図４に示す駆動信号の極性及び電圧レベルは、必要によって変更でき、サステイン放電が完了した後に壁電荷の消去のための消去信号がサステイン電極に印加されることもできる。また、サステイン信号がスキャン電極ＹとサステインＺ電極のうちのいずれか１つのみに印加されてサステイン放電を起こすシングルサステイン駆動も可能である。
【００４３】
図５〜図１０は、本発明に係る外光遮断シートの構造に関する実施の形態を断面図で示すものであって、図５に示すように、外光遮断シートは、ベース部５００及びパターン部５１０を備える。
【００４４】
図５において、外光遮断シートの下段がパネル側であり、上段が外光の入射されるユーザ側である。外部光源は、パネルの上側に位置することが一般的であるから、外光は、上側から斜めにパネルに入射され得る。
【００４５】
前記外光を吸収して遮断し、パネルから放出される可視光線を全反射してパネル光の反射率を高めるために、パターン部５１０の屈折率、少なくともパターン部５１０の一部分である傾斜面の屈折率は、ベース部５００の屈折率より小さくすることが好ましい。
【００４６】
パネルの明室コントラストを低下させる外光は、観察者の頭の上段に存在する場合が多い。図５に示すように、スネル（ｓｎｅｌｌ）の法則により、外光遮断シートに斜めに入射される外光は、ベース部５００より小さな屈折率を有するパターン部５１０の内部に屈折して吸収される。パターン部３１０の内部に屈折する外光は、光吸収粒子により吸収され得る。
【００４７】
また、ディスプレイのためにパネルから外部に放出される光は、パターン部５１０の傾斜面から全反射して観察者側の外部に反射される。
【００４８】
上記したように、外光は、パターン部５１０に屈折して吸収され、パネル５２０から放出される光がパターン部５１０から全反射される理由は、パネル光がパターン部５１０の傾斜面となす角より、外光がパターン部５１０の傾斜面となす角が大きいためである。
【００４９】
よって、本発明に係る外光遮断シートは、外光が観察者側に反射されないように外光を吸収し、パネルから放出される光の反射量を高めることによって、ディスプレイ映像の明室コントラストを向上させる。
【００５０】
パネルに入射される外光の角度を考慮して、外光の吸収及びパネル光の全反射を最大化するためには、パターン部５１０の屈折率は、ベース部５００の屈折率の０．３倍〜０．９９９倍であることが好ましい。パネルから放出される光がパターン部５１０の傾斜面から全反射されることを最大化するために、プラズマディスプレイパネルの上下の視野角を考慮すれば、パターン部５１０の屈折率は、ベース部５００の屈折率の０．３倍〜０．８倍であることが好ましい。
【００５１】
ベース部５００は、光が円滑に透過され得るように、透明なプラスチック材質、例えば紫外線（ＵＶ）硬化方式により形成された樹脂（Ｒｅｓｉｎ）系の物質からなることが好ましく、パネルの前面を保護する効果を高めるために、堅固なガラス材質が用いられることができる。
【００５２】
図５に示すように、パターン部５１０の形状は、三角形であることができ、その他の様々な形状を有することもできる。パターン部５１０は、ベース部５００より暗い色の物質で形成され、好ましくは、黒い色の物質からなる。例えば、パターン部５１０は、カーボン系の物質で形成するか、又は黒い色の染料を塗布して外光を吸収する効果を極大化することができる。
【００５３】
また、パターン部５１０は、光吸収粒子を含むことができ、光吸収粒子は、特定色に着色された樹脂粒子であり得る。光吸収効果を最大化するために、光吸収粒子は、黒い色に着色されることが好ましい。
【００５４】
光吸収粒子の製造及びパターン部５１０の内部への添加が容易であり、外光を吸収する効果を最大化するために、光吸収粒子の大きさは１μｍ以上であり得る。また、光吸収粒子の大きさが１μｍ以上である場合、パターン部５１０に屈折する外光を効果的に吸収するために、パターン部５１０は、光吸収粒子を１０重量％以上含むようにすることができる。すなわち、パターン部５１０の全体重量の１０％以上の重量の光吸収粒子がパターン部２１０に含むようにすることができる。
【００５５】
外光遮断シートの厚さＴが２０μｍ〜２５０μｍであるとき、製造工程が容易であり、適切な光透過率を有することができる。パネルから放出される光が円滑に透過するようにし、外部から入射される光が屈折してパターン部５１０に効果的に吸収し及び遮断するようにし、シートの堅固性を確保するために、外光遮断シートの厚さＴは、１００μｍ〜１８０μｍに形成することができる。
【００５６】
図５に示すように、ベース部５００上に形成されるパターン部５１０は、三角形の形態を有することができ、さらに好ましくは、二等辺三角形の形状を有することができる。また、パターン部５１０の下段幅Ｐ１は、１８μｍ〜３５μｍに形成することができ、この場合、パネルから発生する光が円滑にユーザ側に放出され得る開口率を確保し、外光の遮断効率を極大化することができる。
【００５７】
パターン部５１０の高さｈは、８０μｍ〜１７０μｍに形成され、下段幅Ｐ１との関係で外光の吸収及びパネル光の反射を効果的に行うことができる傾斜面の勾配を形成でき、パターン部５１０の短絡を防止することができる。
【００５８】
パネル光がユーザ側に放出されて、適正輝度のディスプレイ映像を表示するための開口率を確保し、外光の遮断効果及びパネル光の反射効率を増加させるための最適のパターン部５１０の傾斜面の勾配を確保するために、互いに隣接した二パターン部間の間隔Ｄ１は、４０μｍ〜９０μｍであることができ、互いに隣接したパターン部の上段間の間隔Ｄ２は、６０μｍ〜１３０μｍであり得る。
【００５９】
上記のような理由により、互いに隣接した二パターン部間の間隔Ｄ１がパターン部５１０の下段幅の１．１倍〜５倍であるとき、ディスプレイのための開口率を確保することができる。また、開口率の確保と同時に、外光の遮断効果及びパネル光の反射効率を最適化するためには、互いに隣接した二パターン部間の間隔Ｄ１がパターン部５１０の下段幅の１．５倍〜３．５倍であり得る。
【００６０】
パターン部５１０の高さｈが互いに隣接した二パターン部間の間隔Ｄ１の０．８９倍〜４．２５倍の範囲を有する場合、上側から斜めに入射される外光がパネルに入射されないようにすることができる。またパターン部５１０の短絡を防止し、パネル光の反射効率を最適化するために、パターン部５１０の高さｈが互いに隣接した二パターン部間の間隔Ｄ１の０．１．５倍〜３倍であり得る。
【００６１】
また、互いに隣接した二パターン部の上段間の間隔Ｄ２が互いに隣接した二パターン部の下段間の間隔Ｄ１の１倍〜３．２５倍であるとき、適正輝度を有する映像のディスプレイのための開口率を確保することができる。また、パネル光がパターン部５１０の傾斜面から全反射される反射効率を最適化するために、互いに隣接した二パターン部の上段間の間隔Ｄ２が互いに隣接した二パターン部の下段間の間隔Ｄ１の１．２倍〜２．５倍であり得る。
【００６２】
図６に示すように、パターン部５２０は、左右非対称の形状に形成することもできる。すなわち、パターン部５２０の左右の傾斜面の面積が互いに異なったり、又は左右の傾斜面それぞれが下段となす角が互いに異なったりする。一般に、外光を発生させる物体は、パネルの上側に位置するため、外光は、一定の角度範囲内でパネルの上側からパネルに入射される。したがって、外光の吸収効果を増加させ、パネルから放出される光の反射率を増加させるために、パターン部５１０の二傾斜面のうち、外光が入射される上側の傾斜面の勾配を下側の傾斜面の勾配より緩やかにすることができる。すなわち、パターン部５１０の二傾斜面のうち、上側の傾斜面の勾配を下側の傾斜面の勾配より小さくすることができる。
【００６３】
図７に示すように、パターン部５３０は、台形形状を有することもでき、そういう場合、上段の幅Ｐ２が下段の幅Ｐ１より小さく形成される。また、パターン部５３０の上段の幅Ｐ２は、１０μｍ以下であることができ、それにより、下段幅Ｐ１との関係で外光の吸収及びパネル光の反射を効果的にすることができる傾斜面の勾配を形成することができる。
【００６４】
図８〜図１０に示すように、図５〜図７に示すパターン部の形状は、それぞれ左右の傾斜面が曲線の形態を有するようにすることもできる。また、パターンの上段又は下段が曲線の形態を有するようにすることもできる。
【００６５】
また、図５〜図１０に示すパターン部の断面形状に関する実施の形態において、パターン部の隅部分が所定の曲率を有する曲線形態を有することもでき、パターン部の下段の隅部分は、外部に拡張される曲線形態を有することもできる。
【００６６】
図１１は、本発明に係る外光遮断シートの構造に関する実施の形態を示す断面図である。外光遮断シートの厚さとパターン部の高さを説明するために示すものである。
【００６７】
図１１に示すように、パターン部を備える外光遮断シートの堅固性を確保すると共に、画像を表示するためにパネルから放出される可視光の透過率を確保するために、外光遮断シートの厚さＴは、１００μｍ〜１８０μｍであることが好ましい。
【００６８】
外光遮断シートに備えられるパターン部の高さｈが８０μｍ〜１７０μｍであるとき、パターン部の製造が最も容易であり、外光遮断シートの適切な開口率を確保することができ、外光の遮断効果及びパネルから放出される光の反射効果を最大化することができる。
【００６９】
パターン部の高さｈは、外光遮断シートの厚さＴに応じて可変され得る。一般に、パネルに入射されて明室コントラストの低下に影響を及ぼす外光は、主にパネルの位置より上側に位置するようになる。そのため、パネルに入射される外光を効果的に遮断するために、パターン部の高さｈは、外光遮断シートの厚さＴに対して一定比率の範囲内の値を有することが好ましい。
【００７０】
図１１に示すように、パターン部の高さｈが増加するほど、パターン部の上段部分のベース部の厚さが薄くなり、絶縁破壊が発生する。他方、パターン部の高さｈが減少するほど、一定範囲内の角度を有する外光がパネルに入射して外光の遮断が適切に行われなくなる。
【００７１】
次の表１は、外光遮断シートの厚さＴとパターン部の高さｈに応じて、外光遮断シートの絶縁破壊及び外光の遮断効果を実験した結果である。
【００７２】
【表１】
2008026861.tif 000003
【００７３】
表１を参照すれば、外光遮断シートの厚さＴが１２０μｍである場合、パターン部の高さｈが１１５μｍ以上に形成されると、パターン部が絶縁破壊するおそれがあり、製品の不良率を増加させることが可能となる。パターン部の高さｈが１１５μｍ以下に形成されると、パターン部が絶縁破壊するおそれがないため、外光遮断シートの不良率を減少させることができる。しかしながら、パターン部の高さｈが８５μｍ以下に形成されるときには、パターン部により外部光が遮断される効率が減少し、６０μｍ以下に形成されるときには、外光がパネルに入射し得る。
【００７４】
外光遮断シートの厚さＴがパターン部の高さｈの１．０１倍〜２．２５倍であるとき、パターン部の上段部分の絶縁破壊を防止することができ、外光がパネルに入射することを防止することができる。また、絶縁破壊及び外光のパネル入射を防止すると同時に、パネルから放出される光の反射率を増加させ、視野角を確保するためには、外光遮断シートの厚さＴがパターン部の高さｈの１．０１倍〜１．５倍であり得る。
【００７５】
図１２及び図１３は、本発明に係る外光遮断シートに形成されたパターン部に関する一実施の形態を示すものである。同図に示すように、パターン部は、ベース部上に一列に所定の間隔で形成されることが好ましく、外光遮断シートの上段又は下段と一定の角度で斜めに形成される。
【００７６】
図１２に示すように、パターン部を斜めに形成することによって、パネルの内部のブラックマトリックス及びブラック層などにより発生するモアレ（Ｍｏｉｒｅ）現象を防止することができる。モアレ現象とは、似た格子形状のパターンが重なりながら発生する低周波のパターンを意味し、例えば蚊帳を重なっておいたときに見える波紋パターンのようなものである。プラズマディスプレイパネルも、格子構造であるため、モアレ現象はやむをえず発生し、図１２及び図１３に示すように、パターン部の形成により、前記モアレ現象を減少させることができる。
【００７７】
ベース部上に一列に形成されたパターン部と外光遮断シートの上段がなす角は、０．５度〜９度であり、パターン部が前記のような角を有して斜めに形成されることによって、モアレ現象を防止することができる。パネルに入射される外部光がユーザの頭の上段に存在する場合が多いことを考慮すれば、パターン部と外光遮断シートの上段がなす角が０．５度〜４．５度であるとき、モアレ現象を防止し、かつ、外部光を最も効果的に遮断することができる。
【００７８】
図１３は、図１２に示す外光遮断シートの一部分６００を拡大して示すものであって、一列に形成されたパターン部６１０、６２０、６３０、６４０、６５０、６６０は、互いに平行したことが好ましく、互いに平行しない場合にも、パターン部６１０、６２０、６３０、６４０、６５０、６６０と外光遮断シートの上段がなす角は、それぞれ上記の範囲を有することが好ましい。例えば、パターン部６１０、６２０、６３０と外光遮断シートの上段間の角θ１、θ２、θ３は、互いに異なり得る。
【００７９】
図１２及び図１３では、パターン部が外光遮断シートの右側下段から左側上段方向に斜めに形成されているが、他の実施の形態では、パターン部が外光遮断シートの左側上段から右側下段方向へ、上記の角を有して斜めに形成されていることもできる。
【００８０】
図１４及び図１５は、ＥＭＩ遮蔽層に関する一実施の形態を示すものである。ＥＭＩ遮蔽層は、ベース部上に銅（Ｃｕ）などからなるパターンがメッシュ（ｍｅｓｈ）形態で形成されていることが好ましい。
【００８１】
図１５は、図１４に示すＥＭＩ遮蔽層の一部分７００を拡大して示すものであって、ＥＭＩ遮蔽層には、右側上段から左側下段の方向へ形成された第１メッシュパターン７２０と左側上段から右側下段の方向へ形成された第２メッシュパターン７１０が互いに交差するように形成される。第１メッシュパターン７２０は、ＥＭＩ遮蔽層の上段とθ５の角をなし、第２メッシュパターン７１０は、ＥＭＩ遮蔽層の上段とθ４の角をなす。また、第１メッシュパターン７２０と第２メッシュパターン７１０は、θ８の夾角を有して互いに交差する。
【００８２】
ＥＭＩ遮蔽層に形成されたパターン７１０、７２０の幅は、５μｍ〜１５μｍであることが好ましく、パターン７１０、７２０が上記のような範囲の幅を有する場合、本発明に係るパターンが斜めに形成された外光遮断シートに取り付けられて、モアレ現象を効果的に防止することができ、ＥＭＩ遮断効果を有すると共に、プラズマディスプレイ装置の開口率を十分に確保して、ディスプレイ映像の適正輝度を維持することができる。
【００８３】
図１４及び図１５に示すようなＥＭＩ遮蔽層は、本発明に係るプラズマディスプレイ装置に備えられる外光遮断シートに重なって取り付けられることが好ましい。ＥＭＩ遮蔽層が取り付けられた外光遮断シートの構造については、以下、図１６及び図１７を参照して詳細に説明する。
【００８４】
本発明に係る外光遮断シートに取り付けられてＥＭＩ遮蔽効果を有すると共に、モアレ現象を減少させるために、ＥＭＩ遮蔽層の第１メッシュパターン７２０及び第２メッシュパターン７１０がＥＭＩ遮蔽層の上段となす角θ５、θ４は、２０度〜６０度であることが好ましい。この場合、第１メッシュパターン７２０と第２メッシュパターン７１０との間の角θ８は、６０度〜１３０度又は４５度〜５５度であり得る。
【００８５】
外光遮断シートに斜めに形成されたパターンによりモアレ現象が除去されるためには、第１メッシュパターン７２０及び第２メッシュパターン７１０がＥＭＩ遮蔽層の上段となす角θ５、θ４は、３０度〜５５度であることが好ましい。この場合、第１メッシュパターン７２０と第２メッシュパターン７１０の夾角θ８は、７０度〜１１８度であり得る。
【００８６】
また、第１メッシュパターン７２０及び第２メッシュパターン７１０がＥＭＩ遮蔽層の上段となす角θ５、θ４が３５度〜４５度であるとき、互いに交差するパターンの形成が容易であり、プラズマディスプレイ装置の適正開口率を確保することができる。
【００８７】
図１６及び図１７は、本発明に係るＥＭＩ遮蔽層が取り付けられた外光遮断シートに関する一実施の形態を示すものであって、モアレ現象を防止するために、パターン部が斜めに形成された本発明に係る外光遮断シート８００に、図１４に示すバーのようなＥＭＩ遮蔽層８１０が取り付けられたものである。
【００８８】
図１７は、図１６に示す本発明に係るＥＭＩ遮蔽層が取り付けられた外光遮断シートの一部分８２０、８３０を拡大して示したものである。図１７に示すように、外光遮断シートのパターン８４０とＥＭＩ遮蔽層の第１、２メッシュパターン８５０、８６０が重なる。
【００８９】
外光遮断シートのパターン８４０とＥＭＩ遮蔽層の第１メッシュパターン８５０がなす角θ６が２０度〜６０度である場合、ＥＭＩ遮蔽層が取り付けられた外光遮断シートがＥＭＩ遮蔽効果を有すると共に、モアレ現象を減少させることができる。
【００９０】
外光遮断シートがパネルの上段から入射される外部光を遮断し、モアレ現象を効果的に防止するためには、外光遮断シートのパターン８４０とＥＭＩ遮蔽層の第１メッシュパターン８５０がなす角θ６が２７度〜５３度であることが好ましい。また、パターンの形成の容易性、プラズマディスプレイ装置の適正開口率及び視野角の確保のために、外光遮断シートのパターン８４０とＥＭＩ遮蔽層の第１メッシュパターン８５０がなす角θ６は、４０度〜５０度であることが好ましい。
【００９１】
外光遮断シートのパターン８４０とＥＭＩ遮蔽層の第２メッシュパターン８６０がなす角θ７が２８度〜６５度である場合、ＥＭＩ遮蔽層が取り付けられた外光遮断シートがＥＭＩ遮蔽効果を有すると共に、モアレ現象を減少させることができる。
【００９２】
外光遮断シートがパネルの上段から入射される外部光を遮断し、モアレ現象を効果的に防止するためには、外光遮断シートのパターン８４０とＥＭＩ遮蔽層の第２メッシュパターン８６０がなす角θ７が３３度〜５８度であることが好ましい。
【００９３】
また、パターンの形成の容易性、プラズマディスプレイ装置の適正開口率及び視野角の確保のために、外光遮断シートのパターン８４０とＥＭＩ遮蔽層の第２メッシュパターン８６０がなす角θ７は、４０度〜５０度であることが好ましい。
【００９４】
次の表２は、外光遮断シートのパターン８４０及びＥＭＩ遮蔽層の第１、２メッシュパターン８５０、８７０が形成された角度に応じて、モアレ現象の発生有無を実験した結果であって、外光遮断シートのパターン８４０と外光遮断シートの上段がなす角θ１を最適値である２．５度に固定し、ＥＭＩ遮蔽層の第１、２メッシュパターン８５０、８７０の形成角度を調整したものである。
【００９５】
次の表２において、「○」は、モアレ現象が発生したことを意味し、「△」は、モアレ現象が５０％以下に減少したことを意味し、「×」は、モアレ現象が発生しないことを意味する。
【００９６】
【表２】
2008026861.tif 000004
【００９７】
表２を参照すれば、ＥＭＩ遮蔽層の第１メッシュパターン８５０とＥＭＩ遮蔽層の上段がなす角θ５が２５度〜６０度であるとき、モアレ現象が減少でき、３０度〜５５度であるとき、モアレ現象が効果的に防止できる。また、ＥＭＩ遮蔽層の第２メッシュパターン８６０とＥＭＩ遮蔽層の上段がなす角θ４が２７．５度〜６０度であるとき、モアレ現象が減少でき、３２．５度〜５５度であるとき、モアレ現象が効果的に防止できる。
【００９８】
ＥＭＩ遮蔽層の第１メッシュパターン８５０と第２メッシュパターン８６０との夾角θ８が６０度〜１２７．５度であるとき、モアレ現象が減少でき、７０度〜１１７．５度であるとき、モアレ現象が効果的に防止できる。
【００９９】
ＥＭＩ遮蔽層の第１メッシュパターン８５０と外光遮断シートのパターン８４０の夾角θ６が２２．５度〜５７．５度であるとき、モアレ現象が減少でき、２７．５度〜５２．５度であるとき、モアレ現象が効果的に防止できる。また、ＥＭＩ遮蔽層の第２メッシュパターン８６０と外光遮断シートのパターン８４０の夾角θ７が３０度〜６２．５度であるとき、モアレ現象が減少でき、３５度〜５７．５度であるとき、モアレ現象が効果的に防止できる。
【０１００】
次の表３は、外光遮断シートのパターン部の下段幅Ｄ１とパネルの上部基板に形成されるバス電極の幅の比率に応じて、モアレ現象の発生有無及び外光の遮断効果を実験した結果であって、バス電極の幅が９０μｍの場合である。
【０１０１】
【表３】
2008026861.tif 000005
【０１０２】
表３を参照すれば、パターン部の下段の幅Ｄ１がバス電極幅の０．２倍〜０．５倍であるとき、モアレ現象を減少させ、パネルに入射される外光を減少させることができる。また、モアレ現象を防止し外光を効果的に遮断すると同時に、パネル光の放出のための開口率を確保するためには、パターン部の下段の幅Ｄ１がバス電極幅の０．２５倍〜０．４倍であることが好ましい。
【０１０３】
次の表４は、外光遮断シートのパターン部の下段幅Ｄ１とパネルの下部基板に形成される縦隔壁の幅の比率に応じて、モアレ現象の発生有無及び外光の遮断効果を実験した結果であって、縦隔壁の幅が５０μｍの場合である。
【０１０４】
【表４】
2008026861.tif 000006
【０１０５】
表４を参照すれば、パターン部の下段の幅Ｄ１が縦隔壁幅の０．３倍〜０．８倍であるとき、モアレ現象を減少させ、パネルに入射される外光を減少させることができる。また、モアレ現象を防止し、外光を効果的に遮断すると同時に、パネル光の放出のための開口率を確保するためには、パターン部の下段の幅Ｄ１が縦隔壁幅の０．４倍〜０．６５倍であることが好ましい。
【０１０６】
図１８〜図２１は、本発明に係る外光遮断シートが適用されたフィルタの構造に関する実施の形態を示す断面図である。プラズマディスプレイパネルの前面に形成されるフィルタは、ＡＲ／ＮＩＲシート、ＥＭＩ遮蔽シート、外光遮断シート、光特性シートなどを含むことができる。
【０１０７】
図１８及び図１９に示すように、ＡＲ／ＮＩＲシート１０１０は、透明なプラスチック材質からなるベースシート１０１３の前面に、外部から入射される光が反射されるのを防止してグレア現象を減少させる機能のあるＡＲ（Ａｎｔｉ−Ｒｅｆｌｅｃｔｉｏｎ）層１０１１が取り付けられ、後面には、パネルから放射される近赤外線を遮蔽して、リモコンなどのように赤外線を利用して伝達される信号が正常に伝達され得るようにするＮＩＲ（Ｎｅａｒ  Ｉｎｆｒａｒｅｄ）遮蔽層１０１２が取り付けられる。
【０１０８】
ベースシート１０１３は、使用条件や製造に耐えることができる透明性、絶縁性、耐熱性、機械的強度などを考慮して、様々な材料が適用可能である。例えば、ポリエステル系樹脂、ポリアミド系樹脂、ポリオレフィン系樹脂、ビニール系樹脂、アクリル系樹脂、セルロース系樹脂などが用いられることができ、通常、透明性が良く、可視光線の透過率が８０％以上確保されるポリエチレンテレフタルレート（ＰＥＴ）、ポリエチレンナフタレートなどのようなポリエステル系の物質で形成されることが好ましく、ベースシート１０１３の厚さは、機械的強度の不十分によりシートが毀損されるのを防止し、必要以上の厚さにより多くの費用が消費されないように、５０μｍ〜５００μｍに形成されることが好ましい。
【０１０９】
ＥＭＩ遮蔽シート１０２０は、透明なプラスチック材質からなるベースシート２２２の前面にＥＭＩ（Ｅｌｅｃｔｒｏ  ｍａｇｎｅｔｉｃ  Ｉｎｔｅｒｆｅｒｅｎｃｅ）を遮蔽して、パネルから放射されるＥＭＩが外部に放出されるのを防止するＥＭＩ遮蔽層１０２１が取り付けられる。このとき、通常、ＥＭＩ遮蔽層１０２１は、導電性を有する物質を利用してメッシュ（Ｍｅｓｈ）構造で形成され、接地が円滑に行われるように、画像が表示されないＥＭＩ遮蔽シート１０２０の非有効領域には、導電性物質が全体的に塗布される。ＥＭＩ遮蔽層１０２１のパターン幅は、１０μｍ〜３０μｍに形成されることが好ましく、そういう場合、電磁波を遮蔽するための充分な電気抵抗値を有することができ、適切な光透過率のための開口率が確保されることができる。
【０１１０】
通常、外部光源は、室内や外部においてユーザの頭の上段に存在する場合が最も多い。このような外部光を効果的に遮断してＰＤＰのブラック映像をさらに暗く表現され得るようにする外光遮断シート１０３０が取り付けられる。
【０１１１】
このようなＡＲ／ＮＩＲシート１０１０、ＥＭＩ遮蔽シート１０２０、外光遮断シート１０３０間には、粘着剤１０４０が層をなしており、それぞれのシート１０１０、１０２０、１０３０及びフィルタ１０００がパネルの前面に堅固に取り付けられるようにする。また、それぞれのシート１０１０、１０２０、１０３０に含まれるベースシートの材質は、外光遮断シート１０００の製作の容易性を考慮して、実質的に同じ材質を使用することが好ましい。
【０１１２】
一方、図１８では、ＡＲ／ＮＩＲシート１０１０、ＥＭＩ遮蔽シート１０２０、外光遮断シート１０３０の順に積層されたことを示しているが、図１９に示すように、ＡＲ／ＮＩＲシート１０１０、外光遮断シート１０３０、ＥＭＩ遮蔽シート１０２０の順に積層され得るように、各シートの積層順序は、当業者によって異なって積層され得る。また、図示のシート１０１０、１０２０、１０３０のうちの少なくともいずれかの一層が省略されることもできる。
【０１１３】
図２０及び図２１を参照すれば、パネルの前面に形成されるフィルタ１０００は、図１８及び図１９に示すようなＡＲ／ＮＩＲシート１１１０、ＥＭＩ遮蔽シート１１３０及び外光遮断シート１１４０の他に、光特性シート１１２０をさらに含むことができる。光特性シート１１２０は、パネルから入射される光の色温度及び輝度特性を改善させ、透明なプラスチック材質からなるベースシート１１２２の前面又は後面に所定の染料と粘着剤からなる光特性層１１２１が積層される。
【０１１４】
図１８〜図２１に示すベースシートのうちの少なくとも１つのベースシートを省略することができ、前記ベースシートのうちの何れか１つは、プラスチック材質ではない堅固なガラスが用いられており、パネルを保護する機能を向上させることができる。このとき、ガラスは、パネルから所定間隔で離隔されて形成されることが好ましい。
【０１１５】
また、本発明に係るフィルタは、拡散シートをさらに含めることができる。拡散シートは、光が均一な明るさを維持するように、入射される光を拡散させる機能を果たす。それにより、拡散シートは、パネルから放出される光を均一に拡散させて、ディスプレイ画面の上下の視野角を広め、外光遮断シートなどに形成されたパターンを隠蔽することができる。また、拡散シートは、上下の視野角に該当する方向に光を集光して、正面輝度を均一にすると同時に向上させることができ、帯電防止性を向上させることができる。
【０１１６】
拡散シートは、透過型又は反射型拡散フィルムなどが用いられることができ、一般に、ポリマー（ｐｏｌｙｍｅｒ）材料のベースシートに小さなガラス玉粒が混合された形態を有することができる。また、拡散シートのベースシートとして高純度のアクリル樹脂（ＰＭＭＡ）が利用されることができ、高純度のアクリル樹脂（ＰＭＭＡ）を利用する場合、シートの厚さが厚いことに対し、耐熱性が良いため、発熱の多い大型ディスプレイ装置に利用されることができる。
【０１１７】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１１８】
【図１】本発明に係るプラズマディスプレイパネル構造に関する一実施の形態を示す斜視図である。
【図２】プラズマディスプレイパネルの電極配置に関する一実施の形態を示す図である。
【図３】プラズマディスプレイ装置において、画像の１フレームが複数のサブフィールドに時分割駆動される方法に関する一実施の形態を示す図である。
【図４】プラズマディスプレイパネルを駆動させるための駆動信号に関する一実施の形態を示すタイミング図である。
【図５】本発明に係る外光遮断シートの断面構造に関する実施の形態を示す断面図である。
【図６】本発明に係る外光遮断シートの断面構造に関する実施の形態を示す断面図である。
【図７】本発明に係る外光遮断シートの断面構造に関する実施の形態を示す断面図である。
【図８】本発明に係る外光遮断シートの断面構造に関する実施の形態を示す断面図である。
【図９】本発明に係る外光遮断シートの断面構造に関する実施の形態を示す断面図である。
【図１０】本発明に係る外光遮断シートの断面構造に関する実施の形態を示す断面図である。
【図１１】本発明に係る外光遮断シートの断面構造に関する実施の形態を示す断面図である。
【図１２】本発明に係る外光遮断シートに形成されたパターン部に関する一実施の形態を示す図である。
【図１３】本発明に係る外光遮断シートに形成されたパターン部に関する一実施の形態を示す図である。
【図１４】ＥＭＩ（ＥｌｅｃｔｒｏＭａｇｎｅｔｉｃ  Ｉｎｔｅｒｆｅｒｅｎｃｅ）遮蔽層に関する一実施の形態を示す図である。
【図１５】ＥＭＩ（ＥｌｅｃｔｒｏＭａｇｎｅｔｉｃ  Ｉｎｔｅｒｆｅｒｅｎｃｅ）遮蔽層に関する一実施の形態を示す図である。
【図１６】本発明に係るＥＭＩ遮蔽層が取り付けられた外光遮断シートに対する一実施の形態を示す図である。
【図１７】本発明に係るＥＭＩ遮蔽層が取り付けられた外光遮断シートに対する一実施の形態を示す図である。
【図１８】本発明に係るＡＲ（Ａｎｔｉ−Ｒｅｆｌｅｃｔｉｏｎ）層、ＮＩＲ（Ｎｅａｒ  Ｉｎｆｒａｒｅｄ）遮蔽層、ＥＭＩ遮蔽層などが取り付けられた外光遮断シートの構造に関する実施の形態を示す断面図である。
【図１９】本発明に係るＡＲ（Ａｎｔｉ−Ｒｅｆｌｅｃｔｉｏｎ）層、ＮＩＲ（Ｎｅａｒ  Ｉｎｆｒａｒｅｄ）遮蔽層、ＥＭＩ遮蔽層などが取り付けられた外光遮断シートの構造に関する実施の形態を示す断面図である。
【図２０】本発明に係るＡＲ（Ａｎｔｉ−Ｒｅｆｌｅｃｔｉｏｎ）層、ＮＩＲ（Ｎｅａｒ  Ｉｎｆｒａｒｅｄ）遮蔽層、ＥＭＩ遮蔽層などが取り付けられた外光遮断シートの構造に関する実施の形態を示す断面図である。
【図２１】本発明に係るＡＲ（Ａｎｔｉ−Ｒｅｆｌｅｃｔｉｏｎ）層、ＮＩＲ（Ｎｅａｒ  Ｉｎｆｒａｒｅｄ）遮蔽層、ＥＭＩ遮蔽層などが取り付けられた外光遮断シートの構造に関する実施の形態を示す断面図である。
【図１】
2008026861.tif 000007
【図２】
2008026861.tif 000008
【図３】
2008026861.tif 000009
【図４】
2008026861.tif 000010
【図５】
2008026861.tif 000011
【図６】
2008026861.tif 000012
【図７】
2008026861.tif 000013
【図８】
2008026861.tif 000014
【図９】
2008026861.tif 000015
【図１０】
2008026861.tif 000016
【図１１】
2008026861.tif 000017
【図１２】
2008026861.tif 000018
【図１３】
2008026861.tif 000019
【図１４】
2008026861.tif 000020
【図１５】
2008026861.tif 000021
【図１６】
2008026861.tif 000022
【図１７】
2008026861.tif 000023
【図１８】
2008026861.tif 000024
【図１９】
2008026861.tif 000025
【図２０】
2008026861.tif 000026
【図２１】
2008026861.tif 000027